(57)【要約】      （修正有）【課題】踵から指先にかけて重心が移動するための蹴りだしを行うときに、バランス支持ピンが土踏まずを押し上げ刺激する履物を提供する。【解決手段】履物台低部を固定蹴りだし支点Ｐ１と、可動蹴りだし支点Ｐ２と土踏まず領域に複数個のバランス支持ピン３ｂ，３ｅと弾性圧縮板５とで構成し、重心移動に伴い重心位置が、固定蹴りだし点を傾斜の支点とし順じ可動蹴りだし支点に重心が移動すると底材と履物台板にはさまれた弾性圧縮板の反力と傾斜を維持する履物台板の無負荷状態での形状が崩れ、弾性圧縮板が圧縮されることによって、履物台板が下がり、バランス支持ピンのみが土踏まずを支持するため、土踏まずに大きな押上げ応力が発生する。可動蹴りだし支点を傾斜支点として前方の圧縮復元領域の弾性圧縮板を圧縮することによってピストン栓４ｃ，４ｇを上下させ、足裏が貫通孔に食いこんでいる部分のみ刺激を与える。【選択図】図２
2008149088.tif 000002
【特許請求の範囲】
【請求項１】
履物台板に、鉛直方向の荷重に対して変形しない固定蹴りだし領域と、鉛直方向の荷重に対して変形する弾性圧縮板とを中間層に備えた可動蹴りだし領域と、鉛直方向加重に対して変形する弾性圧縮板を中間層に備えた圧縮復元領域で構成し、前記固定蹴りだし領域を踵部分に設け、前記固定蹴りだし領域は履物先端方向に１０度前後の傾斜を与えた形状で構成し、前記固定蹴りだし領域は前記可動領域の重心移動に伴なう傾斜支点となり、前記可動蹴りだし領域は土踏まずに対応した箇所に設けられ、前記可動蹴りだし領域は重心移動に伴なう荷重の増減により上下方向に動きながら前記圧縮復元領域の傾斜支点となり、前記圧縮復元領域中間層の前記弾性圧縮板を圧縮することを特徴とした履物。
【請求項２】
前記可動蹴りだし領域に、前記固定蹴りだし領域の傾斜延長線上に可動蹴りだし支点を設け、前記可動けりだし支点を土踏まずで押さえ支持するためのバランス支持体を履物台板と前記弾性圧縮板の貫通孔を連通して挿入し、前記履物台板が上下方向の応力で前記弾性圧縮板が圧縮され、前記バランス支持体上部から分離し下方に移動するとき、前記バランス支持体の土踏まずの接地圧力が高まり土踏まずを押し上げる刺激を与えることを特徴とした請求項１記載の履物。
【請求項３】
前記可動蹴りだし支点が傾斜支点となり、前記圧縮復元領域を圧縮する時、前記履物台板に複数個設けた貫通孔内を上下方向に移動できるピストン栓が前記圧縮復元領域の弾性圧縮板と前記履物台板の貫通孔を通して圧縮によって履物低部から相対的に前記ピストン栓低部が押し上げられ、履物台板上部まで移動し、貫通孔を上部まで埋め、貫通孔の深さの変化を繰り返すことを特徴とした請求項１記載の履物。
【請求項４】
足裏荷重の増減により、前記ピストン栓が前記履物台板の貫通孔に添って上下することにより、足裏の前記ピストン溝に食い込む量を変化させることによって、足裏の食い込んだ表層部分のみ刺激を繰り返すことを特徴とした請求項１記載の履物。
【請求項５】
前記履物台板に、異なる形状及び面積を有する複数の前記貫通孔及びピストン栓を設け、前記貫通孔及び前記ピストン栓面積及び前記ピストン栓形状に反映した、足裏の食い込み形状及び食い込み量となって、刺激を繰り返すことを特徴とした請求項１記載の履物。
【発明の詳細な説明】
【技術分野】
【０００１】  本発明は、足裏の表層部分のみの押圧の繰り返しと土踏まず部分の強い押上げの繰り返しで足裏を刺激する機能を備えた履物に関する。
【背景技術】
【０００２】  従来の足裏に刺激を与える履物としては、凸部を有する履物が知られている（例えば，特許文献１、２参照）。また、粒状物を刺激源として利用するアイデア（特許文献３参照）や凹部に小球体を移動自在に挿入して刺激を与えるアイデア（特許文献４参照）等が知られている。従来の技術では、足裏への刺激が強すぎて痛みを感ずる場合や、土踏まずの部分への刺激が不充分であるなどの問題があった。また、刺激を与える部位を変化させることもできなかった。本発明者は既に押し棒を用いて足裏刺激用履物のアイデアを提出済みである（特許文献５参照）が、今回は更に改良を重ねて本発明を完成させた。
【特許文献１】特開２００６−６３５３号公報
【特許文献２】特開２００５−３０５０７５号公報
【特許文献３】特開２００６−１６７３７７号公報
【特許文献４】特開２００５−２７８９７０号公報
【特許文献５】特開２００６−６２１号公報
【発明が解決しようとする課題】
【０００３】  しかしながら、前述の従来の履物は、落差を作るための履物の蹴りだし支点を重心点付近の履物の前後に配置し、蹴り出す時の落差で、押圧棒を突出させる構造のため、土踏まずの部分を刺激するためにはテコを使用するしかなく、構造的に複雑、かつ、製造コストの面で問題があった。また、刺激体が全て台板上部に突出する構造になっているため、刺激体が足裏の表層筋を突き上げ、過度な刺激を与える欠点があった。しかも、履物の落差及びテコを取り付けるための変形しない素材、例えばプラスチックなどでのみしか製造できない問題があった。
【０００４】  本発明は、上記のような従来の課題に着目してなされたもので、履物底面に角度を与えることによって重心位置を後部に導き、重心位置における履物落差を消去することによって、履物の撓みと変形を抑え、重心移動に伴なって、固定蹴りだし支点から土踏まずに対応した上下可動蹴りだし支点に重心が移動した時、上下可動蹴りだし支点中間部の圧縮弾性板が負荷によりつぶれて、荷重の支点が固定支点から可動支点に移動することによって、バランス支持ピン上部のみ接地圧が高まり、さらに、履物先端に重心を移動させるとき、上下可動蹴りだし支点を乗り越えるための自重の応力が働き、バランス支持ピンを通じて土踏まずに大きな押上げの刺激が発生する。また、土踏まず以外の刺激は台板の凹部に食い込んでいる足裏の表層部分だけをピストン栓が上下することによって表層部分の押し戻しと食いこみを繰り返し、長時間使用しても神経が麻痺することなく快適に動的な刺激を体感できる機能を備えた機構を特徴とする。
【課題を解決するための手段】
【０００５】  上記目的を達成するために、請求項１の本発明に係る固定支点と昇降可動支点とを有する足裏刺激用履物は、固定蹴りだし支点と、可動蹴りだし支点ならびに土踏まず領域に複数個のバランス支持ピンと弾性圧縮板とを取り付け、重心移動に伴い重心位置が、固定蹴りだし点を傾斜の支点とし順じ可動蹴りだし支点に重心が移動すると、底材と履物台板ではさまれた弾性圧縮板が圧縮されることによって、履物台板が下がり、バランス支持ピンのみ土踏まずを支持するため、土踏まずに大きな押上げ応力が発生する。さらに、可動蹴りだし支点を傾斜支点として前方の圧縮復元領域の弾性圧縮板を圧縮することによってピストン栓を上下させ、足裏面が貫通孔に食いこんでいる部分にのみ刺激を与えることを特徴とする。
【０００６】  請求項１、２の本発明に係る固定支点と昇降可動支点とを有する履物は、履物の上面に足を乗せて立つと、弾性圧縮板の反力とバランス支持ピンの土踏まずにおける支持力によって、履物が安定した角度で維持され、蹴り出すときの重心点の移動によって、履物の重心バランスが移動し、固定蹴りだし支点ｐ１から可動蹴りだし支点ｐ２に重心が移り、さらに、移動方向の弾性圧縮板を圧縮することによって、ピストン栓を上下させる。重心点がかがと部分に戻ると、バランス支持ピンの上部高さと台板上部高さは元の高さとなり可動蹴りだし支点はもとの固定傾斜延長点レベル高さに復元する。
【０００７】  請求項３，４。５の本発明に係る固定支点と昇降可動支点とを有する足裏刺激用履物は、前記可動蹴りだし支点Ｐ２を傾き支点として弾性圧縮板が圧縮され、相対的にピストン栓が上方に移動し、足裏表層部を履物上面レベルまで移動させることを特徴とする。
【０００８】  請求項３，４、５の本発明に係る固定支点と昇降可動支点とを有する足裏刺激用履物は、上板の上面に足を乗せて立つと、上板が可動蹴りだし支点Ｐ２を支点として弾性圧縮板が圧縮されることによって変形して履物底と上板との間隔が狭まり、ピストン栓が貫通孔を通して上下し、台板の貫通孔に食いこんでいる足裏表層部を押し戻し、これらの繰り返しで刺激する。
【０００９】  請求項１，２、３、４の本発明に係る固定支点と昇降可動支点とを有する履物は、サンダル、下駄、靴、インソールその他いかなる履物であってもよい。また、弾性圧縮板は、鉛直方向の加重荷に体重をかけたとき圧縮され、弾力的に復元力を有するいかなる部材から成ってもよい。
【発明を実施するための最良の形態】
【００１０】  以下、図面に基づき、本発明の各種実施の形態について説明する。図１〜図７は、本発明の第１の実施形態を示している。図１〜図７に示すように、固定蹴りだし支点Ｐ１と昇降可動蹴りだし支点Ｐ２とを有する履物は、履物台板１と、圧縮復元領域Ｘと可動蹴りだし領域Ｙと固定蹴りだし領域２で、固定蹴りだし支点Ｐ１と可動蹴りだし支点Ｐ２、および、可動蹴りだし領域Ｙのバランス支持ピンと、弾性圧縮板５と、圧縮復元領域Ｘのピストン栓と底材６で構成されている。なお、固定蹴りだし支点Ｐ１と昇降可動蹴りだし支点Ｐ２とを有する履物は、左右１対から成るが、図１〜図３ではその一方のみを示す。【００１１】  図１は、本発明の実施の形態における上面図であり、履物台板１の可動蹴り出し領域Ｙにおける貫通孔に挿入するバランス支持ピンと圧縮復元領域Ｘの貫通孔内を上下し深さを調節するピストン栓で構成し、履物台板１の材質は、足を乗せたとき撓まない程度の素材で例えば硬質系の発泡素材などでも良い。【００１２】  可動蹴りだし領域Ｙのバランス支持ピンの面積は土踏まずに極端に食い込まない程度の１０円玉前後の面積で、可動蹴りだし支点Ｐ２の鉛直の縦応力に耐えられる太さと形状で、硬質系の折れにくく撓まない材料で、例えば木材または硬質系ゴムなどで構成する。しかし、必ずしも１０円玉くらいの大きさでなくても良く、バランス支持ピンの台板におけるセット本数で、土踏まずに食いこむ程度の面積を確保し、十分可動蹴りだし支点を土踏まずで支持できれば良い。また、例えば面積の大きなバランス支持ピン１本で支持しても良い。【００１３】  しかし、好ましくは土踏まずのアーチ形状をサポートできる履物台板１における上面高さ及び面積を与えることが必要であるが、足の形状はまちまちであるため、例えばバランス支持ピンを別途差込み式にしても良い。【００１４】  可動蹴りだし領域Ｙにおける貫通孔の配置は、可動蹴りだし支点Ｐ２に鉛直方向の荷重が大きく発生するため、支点を安定させるように、履物の両サイドにバランス良く配置し、ある程度等間隔に並べたほうが望ましい。また、履物の圧縮復元領域Ｘに配置する貫通孔及びピストン栓は数多く配置したほうが足裏に違和感を与えない。【００１５】  この場合、圧縮復元領域Ｘにおいて、貫通孔に足裏が食いこむことによって感じる感覚は、刺激発生箇所が少ないと、違和感が覚え、逆に履物台板１の上面に対する貫通孔の割合を多くすると快適な刺激となる傾向が体感実験で見受けられる。【００１６】  圧縮復元領域Ｘのピストン栓は、履物台板１の上面より突き出ない範囲で上下往復運動を繰り返し、履物台板１から刺激体が突出することは無いので長時間刺激を心地よく感じることができる。【００１７】  図２は、本発明の実施の形態における側断面面図であり，無負荷状態での履物の形状を示している。固定蹴りだし領域Ｚは１０度前後の傾斜を有し、静止状態において重心位置を履物台板１の踵部分に導き、履物台１の鉛直加重の影響で可動蹴りだし領域Ｙと圧縮復元領域Ｘの撓みあるいは変形するのを防止する。この場合、可動蹴りだし領域Ｙと圧縮復元領域Ｘにおける鉛直荷重の割合は、体重の３割程度である。【００１８】  しかし、この場合、固定蹴りだし領域底部の角度及び可動蹴りだし領域の履物に対しての取り付け位置によっても重心位置が変わるため、履物の製作する材料及び使用用途によって重心位置のセット位置は決められる。【００１９】  固定蹴りだし支点Ｐ１は前方に踏み出そうとした時の最初に傾かせるための支点である。次いで、第２の踏み出し点である可動蹴りだし支点Ｐ２に重心が移動すると、可動蹴りだし領域Ｙのバランス支持ピン周辺の弾性圧縮板５が圧縮されることにより、履物台板１が下方に移動し、バランス支持ピンで足裏の土踏まず部分を強く刺激するとともに、バランス支持ピンの低部で可動蹴りだし支点Ｐ２の支点を強く押さえることになる。さらに前方に荷重が移動することにより、可動蹴りだし支点Ｐ２を支点として圧縮復元領域Ｘの弾性圧縮板５が圧縮すされる。【００２０】  この時、土踏まずにおけるバランス支持ピン３ｃ、３ｄ、３ｅの接地圧力は可動蹴りだし支点Ｐ２の回転支点となるため、自重のほとんどがバランス支持体上部にかかり、土踏まずに大きく食いこみバランス支持ピン３ａと３ｂが下がりながら圧縮復元領域Ｘのピストン栓が上方に移動する。【００２１】  底材６は、通常の履物の底材と同じような耐磨耗性が要求されることはもちろんであるが、ウレタン及びゴムなどバランス支持ピンやピストン栓の低部に発生する応力や摩擦に耐えられる素材で構成し、バランス支持ピンの低部には補強材などで保護するのが望ましい。【００２２】  図３は本発明実施形態のおける作用時の側断面図であり、ほぼ静止状態において踵部分に重心が位置している状態をしめしている。【００２３】  図４は、本発明の実施の形態における作用時の側断面図であり、歩行に応じて、重心が固定蹴りだし支点Ｐ１から可動蹴りだし支点Ｐ２に移動し、可動蹴りだし領域Ｙの弾性圧縮板５が圧縮され、バランス支持ピンの上部が圧縮分突き出した状態を経て、圧縮復元領域Ｘに主荷重が移り、弾性圧縮板５が圧縮され、履物台板１の表面と貫通孔の中に挿入されたピストン栓の上部が同じ高さになる。【００２５】  図４は、本発明の実施の形態における作用時の側断面図であり、可動蹴りだし支点Ｐ２を可動蹴りだしＹのバランス支持ピンで押さえていることにより、可動蹴りだし支点Ｐ２を基点として回転し、圧縮復元領域Ｘの弾性圧縮板５が圧縮され、ピストン栓の表面が順次履物台板１の表面まで移動している状態を示している。【００２５】  図６は、本発明の実施の形態における作用時の参考図であり、履物台板１の圧縮復元領域Ｘの貫通孔に足裏表層部が食いこみ、ピストン栓は貫通孔の下支点８に位置している。【００２６】  図７は、本発明の実施の形態における作用時の参考図であり弾性圧縮板５の圧縮に伴ないピストン栓が履物台板上部のピストン栓上支点９まで移動し、足裏表層部の食いこみを押し戻した状態を示す。【００２７】  ピストン栓上支点９の履物台板上部における移動高さは平滑になるようにピストン栓移動ストッパー１５で制御し、貫通孔とピストン栓の隙間は極力少ない方が違和感を与えない。
【図面の簡単な説明】
【００２８】
【図１】  本発明の実施の形態における上面図である
【図２】  本発明の実施の形態における側断面図である
【図３】  本発明の実施の形態における作用時の側断面図である
【図４】  本発明の実施の形態における作用時の側断面図である
【図５】  本発明の実施の形態における作用時の側断面図である
【図６】  本発明の実施の形態における作用時の参考図である
【図７】  本発明の実施の形態における作用時の参考図である
【符号の説明】
【００２９】  １    履物台板
２    貫通孔
３ａ  バランス支持ピン
３ｂ  バランス支持ピン
３ｃ  バランス支持ピン
３ｄ  バランス支持ピン
３ｅ  バランス支持ピン
４ａ  ピストン栓
４ｂ  ピストン栓
４ｃ  ピストン栓
４ｄ  ピストン栓
４ｅ  ピストン栓
４ｆ  ピストン栓
４ｇ  ピストン栓
５    弾性圧縮板
６    底材
８    ピストン栓下支点
９    ピストン栓上支点
１５  ピストン栓移動ストッパー
【図１】
2008149088.tif 000003
【図２】
2008149088.tif 000004
【図３】
2008149088.tif 000005
【図４】
2008149088.tif 000006
【図５】
2008149088.tif 000007
【図６】
2008149088.tif 000008
【図７】
2008149088.tif 000009